(57)【要約】【課題】ファイバ光ケーブルに情報システムユニットを結合するための差込可能コネクタを提供する。【解決手段】本発明にかかるコネクタは、ハウジングと、ハウジング末端に接続された光コネクタ上に配置され、光コネクタを包囲する可動カラーと、上記可動カラーに接続されたカムと、情報システムユニットのレセプタクルを係合するために上記ハウジングの側面から延びるスプリング負荷されたラッチとを有してレセプタクル内のコネクタを固定しており、前記カムは、前記可動カラーが前記ハウジングから離れる方向に引かれたときに前記ラッチが引き込まれて前記コネクタが前記レセプタクルから解除可能となるよう、前記スプリング負荷されたラッチに係合されている。【選択図】図１
2007171980.tif 000002
【特許請求の範囲】
【請求項１】
情報システムユニットをファイバ光ケーブルに結合するための光送受信機のような装置の差込可能コネクタであって、
ハウジングと、
前記ハウジングの光コネクタ端に配置され、光コネクタを包囲する可動カラーと、
前記可動カラーに結合されたカムと、
前記情報システムユニットのレセプタクルに係合して前記レセプタクル内に前記コネクタを固定するように前記ハウジングの側部から延びるスプリング負荷されたラッチと、
を有し、
前記カムは、前記スプリング負荷されたラッチに係合しており、前記可動カラーが前記ハウジングから離れる方向に引かれたときに前記ラッチが引き込まれて前記コネクタを前記レセプタクルから外すことができるようにする
ことを特徴とするコネクタ。
【請求項２】
請求項１に記載の差込可能コネクタであって、
前記カムは、１対のアームを介して前記カラーに結合された１対のカムを更に含み、
前記カムの各々は前記１対のアームの各アーム終端部に配置され、
前記アームは、前記ハウジングに固着された前記ハウジングの前面板を通って前記ハウジング内に、前記可動カラーの移動軸に平行に前記可動カラーの両側から後方に延びる
ことを特徴とするコネクタ。
【請求項３】
請求項２に記載の差込可能コネクタであって、
各々のアーム上に横方向に配置され、前記カラーが前記ハウジングから完全に延出させられたとき前記前面板に係合する係止部を更に含み、
前記カラーに力を継続的に作用し続ける力によって前記レセプタクルから前記モジュールを引き出すことを可能にする
ことを特徴とするコネクタ。
【請求項４】
請求項３に記載の差込可能コネクタであって、前記係止部と前記前面板との間に配置され、引き込まれた位置に前記カラーを付勢して、前記スプリング負荷されたラッチが延びて前記レセプタクルに係合できるようにするスプリングを更に含むコネクタ。
【請求項５】
請求項４に記載の差込可能コネクタであって、
前記スプリング負荷されたラッチは、前記ハウジングの両側において前記レセプタクルからの差込可能コネクタの取り外し軸に垂直に配置されたラッチ体を更に含み、
対になった前記ラッチ体の各々のロック突起部が前記レセプタクルの各々のロック開口部に係合される
ことと特徴とするコネクタ。
【請求項６】
請求項５に記載の差込可能コネクタであって、
前記ラッチ体は、前記ラッチ体から突出するカムフォロアを更に含み、該カムフォロアは前記可動カラーに接続された前記カムの側面に追従する
ことを特徴とするコネクタ。
【請求項７】
請求項１に記載の差込可能コネクタであって、前記差込可能コネクタの終端部に配置された複導体型プラグを更に含むコネクタ。
【請求項８】
請求項７に記載の差込可能コネクタであって、前記レセプタクルは、前記レセプタクルの背面に、前記差込可能コネクタ上の対応コネクタを受け、該対応コネクタに係合するための電気的コネクタを更に含むコネクタ。
【請求項９】
請求項１に記載の差込可能コネクタであって、前記レセプタクルは、前記差込可能コネクタの少なくとも一部を受けるための開口した前端を有するキャビティが形成されたハウジングを更に含むコネクタ。
【請求項１０】
請求項９に記載の差込可能コネクタであって、前記スプリング負荷されたラッチは、前記レセプタクル内の１対の開口部を更に含み、該開口部は、衝突板を有し、前記差込可能コネクタの対をなすラッチ部材のそれぞれの少なくとも一部を受けて前記差込可能コネクタを前記キャビティ内部にラッチするようにされたコネクタ。
【請求項１１】
情報システムユニットをファイバ光ケーブルに結合するための光送受信機のような装置の差込可能コネクタであって、
ハウジングと、
前記ハウジングの光コネクタ端に配置され、光コネクタを包囲し、かつ、保護する可動カラーと、
前記情報システムユニットのレセプタクルに係合して前記レセプタクル内に前記コネクタを固定するように前記ハウジングの側部から延びるスプリング負荷されたラッチと
を有し、
スプリング負荷された前記カラーがスプリング負荷された前記ラッチに係合して、前記可動カラーが前記ハウジングから離れる方向に引かれたときに前記ラッチが引き込まれて前記コネクタを前記レセプタクルから取り外しできるようにする
ことを特徴とするコネクタ。
【請求項１２】
請求項１１に記載の差込可能コネクタであって、
１対のアームを介して前記カラーに結合された１対のカムを更に備え、
それぞれのカムは前記１対のアームのそれぞれのアーム終端部に配置され、
前記アームは、前記ハウジングに固着された前面板を通って、前記ハウジング中に、前記可動カラーの移動軸に平行に前記可動カラーの両側から後方に延びる
ことを特徴とするコネクタ。
【請求項１３】
請求項１２に記載の差込可能コネクタであって、
各々のアーム上に横方向に配置され、前記カラーが前記ハウジングから完全に延出させられたとき前記前面板を係合して、前記レセプタクルの外に前記モジュールを引き出すことを可能にする係止部を更に含む
ことを特徴とするコネクタ。
【請求項１４】
請求項１３に記載の差込可能コネクタであって、前記係止部と前記前面板との間に配置され、引き込まれた位置に前記カラーを付勢して、前記スプリング負荷されたラッチが前記レセプタクルに係合できるようにするスプリングを更に含むコネクタ。
【請求項１５】
請求項１４に記載の差込可能コネクタであって、
前記スプリング負荷されたラッチは、前記ハウジングの両側に、前記レセプタクルからの差込可能コネクタの取り外し軸に垂直に配置された１対のペグを更に含み、
前記１対となったペグの各ペグが前記レセプタクルの各々のペグ開口部に係合する
ことと特徴とするコネクタ。
【請求項１６】
請求項１５に記載の差込可能コネクタであって、
前記スプリング負荷されたラッチは、前記ハウジングの両側に、前記レセプタクルからの差込可能コネクタの取り外し軸に垂直に配置された１対のペグを更に含み、
前記１対となったペグの各ペグが前記レセプタクルの各々のペグ開口部に係合する
ことと特徴とするコネクタ。
【請求項１７】
請求項１１に記載の差込可能コネクタであって、前記差込可能コネクタの終端部に配置された複導体型プラグを更に含むコネクタ。
【請求項１８】
請求項１７に記載の差込可能コネクタにおいて、前記レセプタクルは、前記レセプタクルの背面に前記差込可能コネクタ上の接合コネクタを収容及び係合するための電気的コネクタを更に含むコネクタ。
【請求項１９】
請求項１１に記載の差込可能コネクタであって、前記差込可能コネクタの少なくとも一部を受ける開口した前端を有するキャビティが形成されたハウジングを更に含むコネクタ。
【請求項２０】
請求項１９に記載の差込可能コネクタであって、前記スプリング負荷されたラッチは前記レセプタクル内の１対の開口部を更に含み、該開口部は、衝突板を有し、前記差込可能コネクタの対をなすラッチ部材のそれぞれの少なくとも一部を受けて前記差込可能コネクタを前記キャビティ内部にラッチするようにされたコネクタ。
【請求項２１】
モジュールを受けるためのレセプタクルであって、前記レセプタクルは、
回路基盤との電気的接続をなすよう構成された接続部材を有する電気導電性ハウジングを備え、
前記ハウジングは、キャビティが形成され、前記モジュールを前記キャビティに収容するための開口前面部を有し、
前記ハウジングは、前記モジュール上のラッチ部材と協働して前記キャビティ内のモジュールを固定する弾性ラッチタブを有する
ことを特徴とするレセプタクル。
【請求項２２】
請求項２１に記載のレセプタクルにおいて、前記弾性ラッチタブは、前記ハウジングの開口前面に隣接して配置されていることを特徴とするレセプタクル。
【請求項２３】
請求項２１に記載のレセプタクルにおいて、前記弾性ラッチタブは、前記モジュールが前記キャビティ内に挿入されたとき前記ラッチ部材によって撓まされる傾斜した前縁部を有することを特徴とするレセプタクル。
【請求項２４】
請求項２１に記載のレセプタクルにおいて、前記弾性ラッチタブは、前記モジュールが前記キャビティに配置されたとき前記ラッチ部材を受ける開口を有することを特徴とするレセプタクル。
【請求項２５】
請求項２１に記載のレセプタクルにおいて、前記弾性ラッチタブは電気伝導性を有し、前記ハウジングと一体に形成されていることを特徴とするレセプタクル。
【発明の詳細な説明】
【技術分野】
【０００１】
本出願は、２００４年６月２８日に出願され、本出願人に譲渡された、出願係属中の米国特許出願番号１０／８７９，７７５に関連する。
【０００２】
本発明の分野は、光送受信機に関し、特に、電気的入力／出力コネクタ又はインタフェース、及び、ファイバ光通信リンクにおいて使用されるような光ファイバを有する、コンピュータ又は通信ユニット間の通信インタフェースを提供する差し込み可能な組立体又はモジュールのラッチ構造に関する。
【背景技術】
【０００３】
電気信号を光ファイバに結合される変調された光ビームに変換する光変換部分と、光ファイバからの光信号を受信してこれを電気信号に変換する受信部分とを含む、様々な光送受信機が当業界において知られている。従来、光受信部は、光ファイバからの光を光検出器上に集束又は指向させるための光アセンブリを含んでおり、光検出器は次に、回路基盤上の増幅器／リミッタ回路に接続される。光送信部は、フォトダイオード及び同様の光供給を含み、これらは、ドライバ基盤に結合される。
【０００４】
光検出器又はフォトダイオードは、粗雑な環境条件から保護する目的で、典型的には、気密に密閉されたパッケージにパッケージされる。光検出器又はフォトダイオードは、典型的には、数百ミクロン〜２，３ミリメートルの幅、及び、１００〜５００ミクロンの厚みを有する半導体チップである。これらがマウントされたパッケージは、典型的には、３〜６ｍｍの直径、及び２〜５ｍｍの高さであり、そのパッケージの外に出ている数本の電気リードを有し、これらリードは次に、増幅器／リミッタ又はドライバを含む回路基盤に半田付けされる。
【０００５】
光送受信機は、いくつかの標準形要素にパッケージされる。標準形要素は、製造業者の異なるデバイスを相互互換的に使用可能な、標準化された寸法と入力／出力配置とを提供する。
【発明の開示】
【発明が解決しようとする課題】
【０００６】
これら従来の差し込み可能な設計は、過去において良好に利用されてきたが、産業界における不変の目的である小型化に関しては、これらは、不適となる傾向がある。例えば、スイッチボックス、ケーブルパッチパネル、配線クロゼット、そしてコンピュータＩ／Ｏといったネットワーク接続についてのポート密度を増大させるために、送受信機を小型化することが望まれる。近年、新しい標準（つまり、IEEE 802.3ak 標準、X2パッケージマルチソース協約、及び、ストレージ結合が取り付けられた新しい10ギガビットの企業データセンター、サーバ及びネットワークを実現可能にするPCIカード性能要求）が公表され、所定の包囲体の高さ及び幅、そして、最低２０の電気入出力接続が指定されている。モジュールの小型化に加えて、その作動周波数の増大も望まれている。例えば、アプリケーションは、サブギガビット領域から１ギガビットを優に越えるところまで迅速に変動している。しかしながら、従来の差込可能モジュール構成は、これらのパラメータに適合させることができない。
【０００７】
モジュールの作動速度を維持し、あるいは、場合によっては増加させながら、モジュールを小型化することは、特にデータ送信速度が高い場合、例えば、１〜１０Ｇｂｓ（ギガビット／秒）の範囲の場合に、いくつかの設計課題を示す。中でも、特に懸念事項は、電磁妨害（ＥＭＩ）放射を減少させることである。
【課題を解決するための手段】
【０００８】
本発明の目的は、ラッチ構造を使用する改善された光送受信機を提供することである。
【０００９】
また、本発明の目的は、産業標準Ｘ２，ＸＦＰ、又はＸＥＮＰＡＫハウジングを有する光送受信システムにおいて使用される光送受信機を提供することである。
【００１０】
これら及び他の目的は、情報システムユニットをファイバ光ケーブルに結合させるために提供される、光送受信機のような装置の差込可能コネクタによって達成される。このコネクタは、ハウジングと、前記ハウジングの光コネクタ終端部に配置され、光コネクタを包囲する可動カラーと、前記可動カラーに結合されたカムと、前記ハウジングの側部から延び、前記情報システムユニットのレセプタクルに係合して前記レセプタクル内のコネクタを固定するスプリング負荷されたラッチとを有し、前記カムは前記スプリング負荷されたラッチに係合しており、前記可動カラーが前記ハウジングから離れる方向に引かれたときに前記ラッチが引き込まれて前記コネクタをレセプタクルから取り外すことができるようにすることを特徴としている。
【発明を実施するための最良の形態】
【００１１】
図１は、例示された本発明の実施形態に基づいて一般的に示された、情報システム１０（例えば光インタフェースシステムユニット）の側面斜視図である。この光インタフェースシステム１０内には、差込可能コネクタ（例えば、IEEE 802.3ak 標準、X2パッケージマルチソース協約、及び、ストレージ結合が取り付けられた新しい10ギガビットの企業データセンター、サーバ及びネットワークを実現可能にするPCIカード性能要求に適合した、光インタフェースモジュール又は回路基盤）１８を収容するための、１又は複数のレセプタクル１４を含むことができる。
【００１２】
光インタフェースシステム１０は、ホスト（例えば、コンピュータ、ルータ等）１７のシャーシ１５内に位置付けられたマザーボードと結合する。マザーボード１６は、ホスト１７の情報処理機能にレセプタクル１４を接続するコンピュータバス２２を含む。各々の光モジュール１８後方のオスの電気コネクタ２４は、光送受信機１８と、マザーボード１６のバス２２に取り付けられたメスの電気コネクタ２６との間の情報を結合するために使用される。
【００１３】
光インタフェースモジュール１８は、光ファイバ２０内の光送信通信フォーマット（例えば、SONETフォーマットに基づくもの）と、バス２２内の電気的送信フォーマットとの間の情報ストリームを結合するよう機能する。これに関し、光インタフェースモジュール１８は、関連する特定プロトコル変換によって要求された範囲以外となるようなストリームを変更するのではなく、１つの形式から他の形式への情報ストリーム変換のみ行うよう機能する。
【００１４】
図１および図６に示したように、インタフェースモジュール１８は、ハウジング１９と、１対のネジ２１によってインタフェースモジュール１８のハウジング１９の前端に固着された表面カバー５３とを含む。可動カラー５２は、モジュール１８の前面から延び、１又は複数の光ファイバ２０及びこれらの結合（例えば、ＳＣコネクタ１７）をモジュール１８と共に保護するよう機能する。
【００１５】
インタフェースモジュール１８は、コネクタ２４が接合コネクタ２６に係合するまでインタフェースモジュール１８を軸３４に沿ってレセプタクル１４内に推進（付勢）することによって、レセプタクル１４内に挿入することができる。いったんレセプタクル１４内に挿入されると、ラッチ２６、２８の各組上の傾斜した前縁部４５は、ラッチ２６、２８がレセプタクル１４の両側の（又は、対立する）壁における１組の開口部（その前方表面は衝突板３０、３２を形成する）に遭遇するまで、ラッチ２６、２８の向きをハウジング内にそらす、ハウジング１９の各々の電気伝導性ラッチタブ３１、３１と係合する。ラッチ２６、２８が衝突板３０、３２の開口部と遭遇すると、ラッチ２６、２８は、開口部内に延びて衝突板３０、３２と係合し、それによって、図７に示したようにモジュール１８をレセプタクル１４内にロックする。
【００１６】
インタフェースモジュール１８をレセプタクル１４から取り外すには、ユーザはインタフェースモジュール１８のカラー５２を掴み、機器ラック１２から離れる方向にカラー５２を推進（付勢）させる。機器ラック１２から離れる方向にカラー５２を推進（付勢）させると、まず、インタフェースモジュール１８のハウジング１９の表面カバー５３に関し、カラー５２を短い距離移動させ、それによってラッチ２６、２８を外すことができる。カラー５２を推進（付勢）し続けることにより、インタフェースモジュール１８は取り除かれ、レセプタクル１４の外側に引き出される。
【００１７】
図２に、インタフェースモジュール１８の分解組立図を示す。図２に示したように、各ラッチ２６、２８は、ラッチ体３６、３８と、レセプタクル３０、３２に係合するインタフェースモジュール１８の本体から離れて、ラッチ体３６、３８を外側に移動させるよう推進するスプリング４０、４２とを含む。各々のラッチ体３６、３８上には、カムフォロア４４，４６と、ラッチ開口部３０、３２に物理的に係合するロック突起部４８、５０とが含まれる。それぞれのチャネル４７、４９は、カムフォロア４４、４６と、ロック突起部４８、５０とを別々にしている。
【００１８】
図２に、カラー５２の側面斜視図を示す。カラー５２は、後方に延びる１対のアーム５４、５６を含んでおり、これらは、カラー５２の両側に固着され、カラー５２の両側から延びている。カム表面５７、５８は、アーム５４、５６の各々の終端部から内側に延びている。１対の係止部６０、６２は、アーム５４、５６の中央部上面に示されている。
【００１９】
図３に、表面カバー５３に組み立てられたカラー５２を示す。図３に示したように、１組のスプリング６４、６６が係止部６０、６２と表面カバー５３との間に配置されて、光送受信機１８がレセプタクル１４内に密閉されたとき、カラー５２を引き込む。
【００２０】
図４及び図５に、カラー５２と、ラッチ２６、２８の作動とを示す。図４は、引き込まれた状態のカラー５２が、延ばされたラッチ２６、２８と共に送受信機モジュール１８のハウジングに対して密閉されている様子を示す。図５は、延ばされた状態のカラー５２、及び、引き込まれたラッチ２６、２８の様子を示す。
【００２１】
図５に示したように、カラー５２のアーム５４、５６は、ラッチ２６、２８のチャネル４７、４９内に配置される。図５に示したように、カラー５２が、機器ラック１２から離れる方向に引かれると、アーム５４、５６の内側端のカム表面５７、５８は、カムフォロア４４、４６に係合し、そして、（カム表面５７、５８及びカムフォロア４４、４６間の相互作用によって）ラッチ２６、２８を、引き出し位置に推進する。
【００２２】
ラッチ２６、２８が引き出し位置に到達すると、係止部６０、６２はスプリング６４、６６を完全に圧縮し、これによって、ハウジング１９に関してカラー５２の如何なる前方への移動をも防止する。係止部６０、６２と、完全に圧縮されたスプリング６４、６６との作動によって、機器ラック１２から離れる方向への、カラー５２上のさらにどんな外側への力も表面カバー５３内に直接伝達されて、これにより、モジュール１８をレセプタクル１４の外側に引き出すことができる。
【００２３】
差込可能コネクタの具体的な実施形態が、本発明を完成及び使用できるような方法を例示する目的で記述された。本発明の他の変形による実施及び修正も、そして、その多様な側面も、当業者にとって明らかであり、本発明は、記載された特定の実施形態によっては制限されないと理解すべきである。それゆえ、本発明、及び、ここに開示及び請求された根本的な基本思想の趣旨及び範囲内にある、何れの及び全ての修正、変形、又は均等物もカバーされるものと解される。
【図面の簡単な説明】
【００２４】
【図１】本発明の例示した実施形態に基づいた情報システムの側面斜視図である。
【図２】図１の情報システムによって使用される差込可能モジュールの側面斜視分解組立図である。
【図３】図２の差込可能モジュールの前面カラー及び表面カバー組立部品を示す図である。
【図４】引き込まれた位置にある前面カラーを伴った図２の差込可能モジュール前面部分の上面切開図である。
【図５】延びた位置にある前面カラーを伴った図２の差込可能モジュール前面部分の上面切開図である。
【図６】図２の差込可能モジュールの側面斜視図である。
【図７】図１の差込可能モジュール及びレセプタクルの切開上面図である。
【図１】
2007171980.tif 000003
【図２】
2007171980.tif 000004
【図３】
2007171980.tif 000005
【図４】
2007171980.tif 000006
【図５】
2007171980.tif 000007
【図６】
2007171980.tif 000008
【図７】
2007171980.tif 000009
【外国語明細書】
2007171980.tif 000010
2007171980.tif 000011
2007171980.tif 000012
2007171980.tif 000013
2007171980.tif 000014
2007171980.tif 000015
2007171980.tif 000016
2007171980.tif 000017
2007171980.tif 000018
2007171980.tif 000019
2007171980.tif 000020
2007171980.tif 000021
2007171980.tif 000022
2007171980.tif 000023
2007171980.tif 000024
2007171980.tif 000025
2007171980.tif 000026
2007171980.tif 000027
2007171980.tif 000028